(57)【特許請求の範囲】
【請求項１】
凸面と前記凸面を囲む側壁部とからなる凸部を有する部材を有し、前記側壁部は、厚みが前記凸面の厚みよりも薄く形成された薄部を有し、前記薄部は、前記凸面に対して傾斜しており、前記凸部は床面と接する位置に配置されている人形体。
【請求項２】
足裏に、凸面と前記凸面を囲む側壁部とからなる凸部を有する第１の部材と、開口部を有する第２の部材とが積層して設けられており、前記第１の部材は、前記第２の部材により固定されるように設けられ、前記側壁部は、厚みが前記凸面の厚みよりも薄く形成された薄部を有し、前記薄部は、前記凸面に対して傾斜しており、
前記凸部は前記開口部を介して露出されている人形体。
【請求項３】
請求項１又は請求項２において、
前記凸部は、少なくとも２つ以上設けられている人形体。
【請求項４】
請求項１乃至請求項３のいずれか一項において、
前記凸面の表面と前記薄部の表面との成す角度は、３０度以上５０度以下である人形体。
【請求項５】
請求項１乃至請求項４のいずれか一項において、前記凸面と前記側壁部は同一素材で一体に形成されている人形体。
【発明の詳細な説明】
【技術分野】
【０００１】
本発明は、組み立て模型玩具などの人形体に関するものである。
【背景技術】
【０００２】
従来、いわゆるプラモデル（登録商標）と呼ばれるような組み立て模型玩具などの人形体においては、使用者が自分の気に入ったポーズを再現することができるように様々な工夫が施されている。例えば、胴部と両腕部との連結部（肩関節部）や胴部と両脚部の連結部（股関節部）あるいは肘や膝の関節部が自在に回転できるように球形の連結部材が用いられ、この連結部材によって肩、股、肘あるいは膝の関節部により自由度の高い動きが付与されている（例えば、特許文献１参照）。
【０００３】
一般に、このような精巧な人形体は観賞用に室内に飾られることが多く、実際の動きに近い、よりダイナミックなポーズを長期間保持することが要求される。
【特許文献１】特開平６-３２７８４１号公報
【発明の開示】
【発明が解決しようとする課題】
【０００４】
しかしながら、関節部分の自由度が高くなり、様々なポーズを実現することが可能となればなるほど重心が様々な位置に変動し、バランスをとることが難しくなっていた。つまり、人形体は人間と異なり多少の重心のずれを自動で調整することができず、また、柔軟性のないプラスチック材により形成されているため、ポーズを変える度に使用者がバランスを整える必要があった。結果として、バランスを整えるために希望のポーズとは異なったポーズとなってしまったり、少しの振動により倒れてしまい長期間ポーズを保持することが困難であった。
【０００５】
このような問題を解決するために、人形体の足裏にコイルスプリングや板バネ等の弾性部材を設けることで、ポーズを変化させた場合にも足裏部分の床面との接地面積をある程度確保して人形体の安定感を高める方法が提案されている。
【０００６】
しかしながら、このような足裏にコイルスプリング等の弾性部材が設けられた人形体を作成する際には、人形体の足裏に細かな弾性部材を複数取り付ける必要があり、作業が複雑になり、使用者に組み立て模型玩具を作成する意欲を低減させる要因の一つとなっていた。また、滑止め機能が必要な場合には別途滑止め部材を設ける必要があり、更に構造が複雑になっていた。
【０００７】
本発明は上記課題に鑑みてなされたものであり、人形体においてよりダイナミックなポーズを容易に長期間保持する構造を提案することを目的とする。
【課題を解決するための手段】
【０００８】
本発明の人形体は、凸部を有する部材を有している。例えば、本発明の人形体は、凸面と凸面を囲む側壁部とからなる凸部を有する部材を有し、前記側壁部は、厚みが前記凸面の厚みよりも薄く形成された薄部を有し、前記薄部は、前記凸面に対して傾斜しており、凸部は床面と接する位置に配置されている。
【０００９】
また、本発明の人形体は、足裏に、凸面と前記凸面を囲む側壁部とからなる凸部を有する第１の部材と、開口部を有する第２の部材とが積層して設けられており、第１の部材は、第２の部材により固定されるように設けられ、前記側壁部は、厚みが前記凸面の厚みよりも薄く形成された薄部を有し、前記薄部は、前記凸面に対して傾斜しており、凸部は開口部を介して露出されている。
【００１０】
なお、凸部は、少なくとも２つ以上設けられていることが好ましい。また、凸面の表面と薄部の表面との成す角度は３０度以上５０度以下であることが好ましい。また、凸面と側壁部は同一素材で一体に形成されていることが好ましい。
【発明の効果】
【００１１】
本発明の人形体において、凸面と厚みが前記凸面の厚みよりも薄く形成された薄部を有する側壁部とからなる凸部を有するという簡単な構造の部材を、足裏における弾性部材及び滑止めとして用いることにより、任意のポーズを容易に長期間保持することができる。
【発明を実施するための最良の形態】
【００１２】
（実施の形態１）
本発明にかかる人形体の実施の形態として、模型玩具の足裏に凸部を有する部材を備えた人形体の構成について説明する。
【００１３】
図１に本実施の形態の人形体１００の外観構成を示す斜視図を示す。図１に示す人形体１００は、頭部１０１と、胸部１０２と、腰部１０３と、上腕部１０４と、下腕部１０５と、大腿部１０６と、脚部１０７と、を有する。
【００１４】
図２に、図１に示す人形体１００の脚部１０７の足裏部分の模式図を示す。足裏部分には、凸部２０１を有する第１の部材２０２と、開口部２０３を有する第２の部材２０４とが設けられている。なお、第１の部材２０２は、第２の部材２０４と足部材２０５との間に設置され、凸部が形成されていない領域２０８が第２の部材２０４によって押さえられ、第２の部材２０４によって第１の部材２０１は足部材２０５に固定されている。また、第２の部材２０４に形成された開口部２０３から第１の部材に形成された凸部２０１が露出するように形成されている。
【００１５】
ここで、図３（Ａ）に第１の部材２０２の斜視図を示す。また、図３（Ａ）に示す点Ａと点Ｂとを結ぶ破線における断面図を図３（Ｂ）に示す。図３（Ａ）、（Ｂ）に示すように、第１の部材２０２に形成された凸部２０１は、凸面２０６と、凸面２０６を囲む側壁部２０７とからなる。ここで、図３（Ｂ）に示すように側壁部２０７は、凸面２０６とほぼ直交するように設けられた第１の側壁部２０７ａ〜２０７ｄと、第１の側壁部２０７ａ〜２０７ｄから下側（ここでは領域２０８側）に延びる方向に設けられた第２の側壁部２０７ｅ〜２０７ｈとから形成されている。ここで、図３（Ｂ）に示すように側壁部２０７の厚みは部分的に薄く形成されており、第２の側壁部２０７ｅ〜２０７ｈの厚みＹは、凸面２０６の厚みＸ及び第１の側壁部２０７ａ〜２０７ｄの厚みＺより薄く形成されている。このように、側壁部は、厚みが凸面２０６の厚みよりも薄く形成された薄部（第２の側壁部２０７ｅ〜２０７ｈ）を有している。このことにより、凸面２０６に圧力をかけた場合、凸面２０６よりも第２の側壁部２０７ｅ〜２０７ｈの方が圧縮変形しやすく、人形体のポーズを安定に保持することができる。
【００１６】
また、第２の側壁部２０７ｅ〜２０７ｈは、凸面２０６に対して傾斜しており、凸面２０６の表面と側壁部２０７ｅ〜２０７ｈの表面との成す角度は、３０度以上５０度以下となるように形成されていることが好ましい。第２の側壁部２０７ｅ〜２０７ｈを凸面２０６に対して傾斜して形成することにより、凸面２０６に圧力をかけた場合、凸面２０６よりも第２の側壁部２０７ｅ〜２０７ｈの方が圧縮変形されやすく、人形体のポーズを安定に保持することができる。
【００１７】
なお、第１の部材２０２に設けられた凸部２０１には、必ずしも第１の側壁部２０７ａ〜２０７ｄを設ける必要はなく、図３（Ｃ）に示すように、凸面２０６と、凸面２０６に対して傾斜するように設けられた第２の側壁部２０７ｅ〜２０７ｈとからなるように凸部２０１を形成してもよい。なお、ここで凸面２０６は直方体の形状をしており、直方体の側面から下側（ここでは、領域２０８側）に延びる方向に第２の側壁部２０７ｅ〜２０７ｈが形成されている。
【００１８】
なお、凸面２０６の形状は本実施の形態に示す長方形（直方体）のものに限られることはなく、円形（円柱）形状などでもよく、人形体の重さや形状によって適宜選択することができる。
【００１９】
本実施の形態に示すように、足裏に第１の部材２０２を設けることにより、人形体を床面に配置した際に足裏と床面とが平行でない場合でも、足裏４０１と床面４０２との間に第１の部材２０２が存在する（床面４０２と凸部２０１とが接する）ため（図４参照）、従来のように足裏が点４０３でのみ接した状態で保持されることがなく、人形体により安定感を持たせることができる。このように、側壁部が、厚みが凸面２０６の厚みよりも薄く形成された薄部として、第２の側壁部２０７ｅ〜２０７ｈを有することにより、凸部２０１は、第２の側壁部２０７ｅ〜２０７ｈにおいて変形し（曲がり）やすく、床面４０１に接する凸面２０６は形が保持されやすい。従って、足裏と床面との傾きに合わせて第２の側壁部２０７ｅ〜２０７ｈは圧縮変形するものの、凸面２０６は床面と略平行な状態を維持することができるため、足裏と床面との接地面積を向上させることができ、人形体を安定に保持することができる。
【００２０】
なお、凸面２０６および側壁部２０７は、塩化ビニル、エラストマ等の軟質部材を用いて形成することができ、足裏の滑止めとしても機能させることができる。また、本実施の形態においては、凸面２０６および側壁部２０７は同一素材にて一体に形成しており、このことにより、凸面２０６と圧縮変形しやすい箇所としての側壁部２０７を個別に成型して後に接着する場合と比して、生産が容易とされている。また、本実施の形態において、第１の部材２０２には同一平面上に凸部２０１が４つ設けられているが、凸部の個数は特に限定されることはなく、人形体の形状によって適宜形成すればよい。しかしながら、凸部を２個以上設けたほうが、人形体の安定感を容易に得ることができるため好ましい。
【００２１】
本実施の形態において、凸面２０６と、厚みが凸面２０６の厚みよりも薄く形成された第２の側壁部２０７ｅ〜２０７を有する側壁部２０７とからなる凸部２０１を有するという簡単な構造の第１の部材２０２を、足裏における弾性部材及び滑止めとして機能させることができる。また、本実施の形態において、第１の部材２０２は、第２の部材２０４と足部材２０５との間に挟むのみで容易に固定することができる。従って、本実施の形態に示す人形体は、コイルスプリング等の弾性部材や、弾性部材の他に別途滑止め部材を設ける必要がないため、任意のポーズを容易に長期間保持することができる。
【図面の簡単な説明】
【００２２】
【図１】本発明の人形体の構成を説明するための図。
【図２】本発明の人形体の足裏部分の構造を説明するための図。
【図３】本発明の人形体の部材の断面を説明するための図。
【図４】本発明の人形体の足裏部分の構造を説明するための図。
【符号の説明】
【００２３】
１００    人形体
１０１    頭部
１０２    胸部
１０３    腰部
１０４    上腕部
１０５    下腕部
１０６    大腿部
１０７    脚部
２０１    凸部
２０２    第１の部材
２０３    開口部
２０４    第２の部材
２０５    足部材
２０６    凸面
２０７    側壁部
【図１】
0004519166.tif 000002
【図２】
0004519166.tif 000003
【図３】
0004519166.tif 000004
【図４】
0004519166.tif 000005